(57)【要約】【課題】作業者の手の負担を軽減させることができ、細かい作業を容易に行うことができる振動工具を提供する。【解決手段】ブレード１が揺動中心線を中心として揺動する振動工具において、ブレード１とは逆位相で揺動するカウンタウエイト３，４をハウジング内に備えており、カウンタウエイト３，４は揺動中心線を中心として揺動する構成であり、カウンタウエイト３，４は揺動中心線よりも前側に延びるウエイト部７７を備えており、ブレード１を備えたブレードユニットが偏心軸部１７の周囲を周回する環状の係合受け部２２を備えている。【選択図】図４
2019111623.tif 000002
【特許請求の範囲】
【請求項１】
ブレードが所定の軸線まわりに揺動する振動工具において、
ブレードとは逆位相で揺動するカウンタウエイトをハウジング内に備えていることを特徴とする振動工具。
【請求項２】
前後方向に延びる回転駆動軸を備え、カウンタウエイトは、回転駆動軸の前側に位置する上下方向の揺動中心線を中心として揺動する構成であり、
回転駆動軸にカウンタウエイト駆動用の偏心軸部が設けられ、
カウンタウエイトは、揺動中心線を中心とするカウンタ軸部と、該カウンタ軸部から前側に延びるウエイト部と、カウンタ軸部から後側に延設され、偏心軸部の外側に係合する左右一対の受け面を有して該左右の受け面を介して回転駆動軸の回転運動を揺動中心線を中心とした左右の揺動運動に変換する変換アーム部とを備えている請求項１記載の振動工具。
【請求項３】
前後方向に延びる回転駆動軸と、該回転駆動軸の前側に位置する上下方向の揺動中心線を中心として揺動するブレードユニットとを備え、
回転駆動軸にブレード駆動用の偏心軸部が設けられ、
ブレードユニットは、揺動中心線を中心とするブレード軸部と、該ブレード軸部の下端部に着脱自在に装着されてブレード軸部から前側に延びるブレードと、該ブレードよりも上側に位置すると共にブレード軸部から後側に延設され、偏心軸部の外側に係合する左右一対の受け面を有して該左右の受け面を介して回転駆動軸の回転運動を揺動中心線を中心とした左右の揺動運動に変換する変換アーム部とを備えており、
変換アーム部は、偏心軸部の周囲を周回する環状の係合受け部を備え、該係合受け部の内周面に左右の受け面が設けられている請求項１記載の振動工具。
【発明の詳細な説明】
【技術分野】
【０００１】
本発明は、ブレードが揺動する振動工具に関する。
【背景技術】
【０００２】
ブレードを高速で揺動させて被加工物を切断等する振動工具は、それを把持する手に大きな振動が伝わる。そのため作業者の手の負担が大きい。また、作業者の手に大きな振動が伝わるので、細かい作業が行いにくい。
【先行技術文献】
【特許文献】
【０００３】
【特許文献１】特開２０１３−１５８８７９号公報
【特許文献２】特開２０１７−１２７９４３号公報
【発明の概要】
【発明が解決しようとする課題】
【０００４】
それゆえに本発明は上記従来の問題点に鑑みてなされ、作業者の手の負担を軽減させることができ、細かい作業を容易に行うことができる振動工具を提供することを課題とする。
【課題を解決するための手段】
【０００５】
本発明は上記課題を解決すべくなされたものであって、本発明に係る振動工具は、ブレードが所定の軸線まわりに揺動する振動工具において、ブレードとは逆位相で揺動するカウンタウエイトをハウジング内に備えていることを特徴とする。
【０００６】
該構成の振動工具にあっては、ハウジング内においてカウンタウエイトがブレードとは逆位相で揺動するので、ブレードの揺動に伴う振動が抑制される。
【０００７】
特に、前後方向に延びる回転駆動軸を備え、カウンタウエイトは、回転駆動軸の前側に位置する上下方向の揺動中心線を中心として揺動する構成であり、回転駆動軸にカウンタウエイト駆動用の偏心軸部が設けられ、カウンタウエイトは、揺動中心線を中心とするカウンタ軸部と、該カウンタ軸部から前側に延びるウエイト部と、カウンタ軸部から後側に延設され、偏心軸部の外側に係合する左右一対の受け面を有して該左右の受け面を介して回転駆動軸の回転運動を揺動中心線を中心とした左右の揺動運動に変換する変換アーム部とを備えていることが好ましい。該構成によれば、カウンタウエイトがカウンタ軸部から前側に延びるウエイト部を備えていて、そのウエイト部がブレードと逆位相で揺動することによって振動が低減される。
【０００８】
また、前後方向に延びる回転駆動軸と、該回転駆動軸の前側に位置する上下方向の揺動中心線を中心として揺動するブレードユニットとを備え、回転駆動軸にブレード駆動用の偏心軸部が設けられ、ブレードユニットは、揺動中心線を中心とするブレード軸部と、該ブレード軸部の下端部に着脱自在に装着されてブレード軸部から前側に延びるブレードと、該ブレードよりも上側に位置すると共にブレード軸部から後側に延設され、偏心軸部の外側に係合する左右一対の受け面を有して該左右の受け面を介して回転駆動軸の回転運動を揺動中心線を中心とした左右の揺動運動に変換する変換アーム部とを備えており、変換アーム部は、偏心軸部の周囲を周回する環状の係合受け部を備え、該係合受け部の内周面に左右の受け面が設けられていることが好ましい。該構成によれば、ブレードがブレード軸部の前側に位置している一方で、変換アーム部が偏心軸部の周囲を周回する環状の係合受け部を備えているので、ブレードユニットの前後の重量バランスが良くなり、ブレードユニットの重心の位置を揺動中心線に近づけることができる。従って、ブレードユニットの揺動中心線まわりの慣性モーメントを小さくすることができ、ブレードユニットの揺動に伴う振動を抑制することができる。
【発明の効果】
【０００９】
以上のように、ブレードとは逆位相で揺動するカウンタウエイトをハウジング内に備えているので、作業者の手に伝わる振動が低減され、作業者の手の負担を軽減することができ、細かい作業であっても容易に行うことができる。
【図面の簡単な説明】
【００１０】
【図１】本発明の一実施形態における電動振動工具の正面図。
【図２】同電動振動工具の平面図。
【図３】図２のＡ−Ａ断面図。
【図４】図３の要部拡大図。
【図５】同電動振動工具を平面から見た要部拡大断面図。
【図６】同電動振動工具の要部を示す斜視図。
【図７】同電動振動工具の要部を示す断面斜視図。
【図８】同電動振動工具の要部の内部構造を示す斜視図。
【図９】図４のＢ−Ｂ断面図。
【図１０】同電動振動工具の要部断面図であって、ブレードを取り外した状態を示す。
【図１１】同電動振動工具に使用されている揺動振り子を示す斜視図。
【図１２】同電動振動工具に使用されている揺動振り子を示し、（ａ）は水平方向の断面図、（ｂ）は垂直方向の断面図。
【図１３】同電動振動工具に使用されているカウンタアームを示す斜視図。
【図１４】同電動振動工具の一使用状態を示す斜視図。
【発明を実施するための形態】
【００１１】
以下、本発明の一実施形態にかかる電動振動工具について図１乃至図１４を参酌しつつ説明する。本実施形態における電動振動工具は、前端部の下端部にブレード１を着脱自在に備えていて、そのブレード１を駆動源であるモータ２で駆動して種々の加工を行うものである。また、電動振動工具は、ブレード１と逆位相で揺動するカウンタウエイト３，４を備えている。電動振動工具はマルチツールと称されるものであって、ブレード１には多くの種類が存在し、その中から用途に応じて選択し取り付けて切断作業等を行うことができる。電動振動工具は、作業者が手で把持しながら作業を行う手持ち式のものである。また、本実施形態における電動振動工具は、バッテリパック５を備えたコードレスのタイプであるが、電源コードを備えたタイプであってもよい。バッテリパック５は電動振動工具の後端部に装着される。
【００１２】
＜モータ２＞
モータ２の回転中心線２ａは前後方向に延びている。図３のようにモータ２の回転軸であるモータ軸１０が水平方向に延びている状態を基本状態として以下説明する。符号１２はファンである。ファン１２はモータ２の前部に位置している。図示しないブラシはモータ２の後部に位置している。本実施形態においてモータ軸１０が回転駆動軸である。モータ軸１０は、その後端部と前部の二箇所で軸受け１３，１４によって回転可能に支持されている。前後の軸受け１３，１４にはボールベアリングが用いられている。モータ軸１０は前側の軸受け１４よりも前側に所定長さ突出しており、その突出部に第一の偏心軸部１５と第二の偏心軸部１６が形成されている。即ち、モータ軸１０の前端部に第一の偏心軸部１５と第二の偏心軸部１６が形成されている。第一の偏心軸部１５はブレード１を揺動させるためのブレード駆動用の偏心軸部であり、第二の偏心軸部１６はカウンタウエイト３，４を揺動させるためのカウンタウエイト駆動用の偏心軸部である。
【００１３】
第一の偏心軸部１５と第二の偏心軸部１６は前後に並んで形成されている。第一の偏心軸部１５は前側に位置し、第二の偏心軸部１６は第一の偏心軸部１５の後側に位置している。第一の偏心軸部１５はモータ軸１０の最前部に位置している。第一の偏心軸部１５と第二の偏心軸部１６は何れもモータ軸１０の中心即ち回転中心線２ａに対して所定量偏心しているが、その偏心方向は反対であって互いの位相は１８０度異なっている。即ち、第一の偏心軸部１５と第二の偏心軸部１６はモータ軸１０の中心に対して互いに逆位相で偏心している。尚、第一の偏心軸部１５の偏心量は第二の偏心軸部１６の偏心量よりも大きいことが好ましい。第一の偏心軸部１５と第二の偏心軸部１６にはそれぞれ軸受け１７，１８が装着されている。軸受け１７，１８には、外輪の外周面が球面形状に形成されたボールベアリングが使用されている。
【００１４】
ブレード１はモータ２により駆動されて左右方向に高速で揺動する。具体的には、ブレード１の揺動周期は、ダイヤル調整によって毎分６０００回〜２００００回の範囲で設定できるように構成されている。ブレード１の揺動中心線１ａはモータ２の回転中心線２ａに対して直交していて、モータ２の回転中心線２ａが水平方向となっている状態においてブレード１の揺動中心線１ａは上下方向となる。以下、ブレード１の揺動中心線１ａを単に揺動中心線１ａと称する。揺動中心線１ａはモータ軸１０の前端部から前側に所定距離離れて位置している。平面視においてモータ２の回転中心線２ａを前側に延長したとき、そのモータ２の回転中心線２ａの延長線上に揺動中心線１ａが位置していている。即ち、揺動中心線１ａはモータ２の回転中心線２ａに対して左右にオフセットされていない。ブレード１はモータ軸１０よりも下側に位置している。
【００１５】
＜ブレードユニット＞
モータ軸１０の回転運動は左右方向の揺動運動に変換されてブレード１に伝達される。モータ軸１０の前側に、揺動中心線１ａを中心として揺動するブレードユニットを備えている。ブレードユニットの揺動角度は、３．２度に設定されている。ブレードユニットは一体となって揺動する。ブレードユニットは、揺動中心線１ａを中心とするブレード軸部と、該ブレード軸部の下端部に着脱自在に装着されてブレード軸部から前側に延びるブレード１と、ブレード軸部から後側に延設されてモータ軸１０の回転運動を揺動中心線１ａを中心とした左右の揺動運動に変換するブレード１用の変換アーム部とを備えている。以下、ブレードユニットの具体的構成について説明する。
【００１６】
＜揺動振り子２０＞
ブレードユニットは、揺動振り子２０を備えている。揺動振り子２０の単体の状態を図１１及び図１２に示している。該揺動振り子２０は、筒状部２１と延伸部２３，２４と係合受け部２２とを備えている。揺動振り子２０は一つの部材として一体的に形成されていて、筒状部２１と延伸部２３，２４と係合受け部２２は一体構成である。筒状部２１は円筒状であってその軸線方向は上下方向であり、その中心線は揺動中心線１ａと一致する。延伸部２３，２４は、筒状部２１の外周面下部から径方向外側であって後側に向けて水平に延びていて、係合受け部２２に達している。図４のように、延伸部２３，２４は、モータ軸１０と略同じ高さである。延伸部２３，２４は、筒状部２１と係合受け部２２を連結している。係合受け部２２が筒状部２１から後側に離れているため、延伸部２３，２４は筒状部２１と係合受け部２２を前後に連結している。
【００１７】
図１２（ａ）のように延伸部２３，２４は、左右一対の水平アーム部２３を備えている。左右の水平アーム部２３は、筒状部２１の外周面から接線方向であって後側に延びている。延伸部２３，２４は、左右の水平アーム部２３同士を連結する連結部２４を備えている。連結部２４は左右方向に延びていて、筒状部２１と係合受け部２２との間に位置している。連結部２４と筒状部２１との間には上下に貫通する貫通孔２５が形成されている。係合受け部２２は全体として角丸の環状であり、その軸線は前後方向に沿っている。左右一対の水平アーム部２３は、係合受け部２２の前面であって左右両側部の上下方向略中央部に連結されている。係合受け部２２の内周面に左右一対の受け面２６が形成されている。左右の受け面２６は、それぞれ左右の水平アーム部２３の後側に位置していて互いに対向している。受け面２６は水平アーム部２３と同一高さに位置しており、従って、受け面２６はモータ２の回転中心線２ａと同一高さにある。受け面２６は、係合受け部２２の内周面から内側に僅かに突出した位置にある。受け面２６は、左右方向を法線方向とした平面である。
【００１８】
図４、図５、図７及び図８のように、揺動振り子２０の係合受け部２２は第一の偏心軸部１５の軸受け１７の外側に被せられていてその軸受け１７の周囲を周回し、包囲している。図５のように揺動振り子２０の左右の受け面２６が第一の偏心軸部１５の軸受け１７を左右両側から挟み込むように第一の偏心軸部１５の軸受け１７の外側となる軸受け１７の外周面に当接して係合している。従って、揺動振り子２０の左右の受け面２６同士の間の離間距離は、第一の偏心軸部１５の軸受け１７の外径とほぼ等しい。揺動振り子２０の係合受け部２２の内周面のうち、左右の受け面２６のみが第一の偏心軸部１５の軸受け１７の外周面に当接し、左右の受け面２６以外の部分は第一の偏心軸部１５の軸受け１７の外周面から離間している。モータ軸１０の回転運動は、第一の偏心軸部１５と軸受け１７と左右の受け面２６を介して揺動中心線１ａを中心とした揺動振り子２０の左右の揺動運動に変換される。
【００１９】
＜揺動筒３０＞
ブレードユニットは、揺動筒３０を備えている。該揺動筒３０はその中心線が揺動中心線１ａと一致している。揺動筒３０は、揺動筒３０の主要部を構成する下端が開口した胴部３１と、該胴部３１の上側に位置し、揺動筒３０の上端部を構成している小径の支持軸部３２とを有している。揺動筒３０は、支持軸部３２と胴部３１の下部の二箇所でそれぞれ軸受け３３，３４を介してフロントケース９２の上部と下部に揺動自在に支持されている。これらの軸受け３３，３４にはボールベアリングが使用される。揺動筒３０の胴部３１の下端部は下側の軸受け３４から下側に突出しており、その突出部分は揺動筒３０の下端開口部にかけて段階的に拡径している。揺動筒３０の胴部３１の上端部外周面に揺動振り子２０の筒状部２１が嵌着されていて、揺動振り子２０と揺動筒３０は一体となって揺動する。
【００２０】
フロントケース９２の前端部であって下端部には下側に突出する支持筒部９９が形成されている。該支持筒部９９は上下方向の軸線を有していて上下両端が開口している。支持筒部９９は揺動中心線１ａと同軸である。支持筒部９９の内側に下側の軸受け３４が装着されていて揺動筒３０の下部を回転可能に支持している。揺動筒３０の下端開口部はフロントケース９２の支持筒部９９の下端開口部から下方に突出していて、揺動筒３０の下端開口部の内側にブレード１の基端部が取り付けられる。電動振動工具の前部において、ブレード１を除いて揺動筒３０の下端開口部が最も下側に位置している。そして、ブレード１は揺動筒３０の下端開口部に下側から装着される。ブレード１は、揺動筒３０の下端開口部よりも更に下側に位置していて電動振動工具の前部において最も下側に位置する部材となっていると共に、電動振動工具の全体の中でも最も下側に位置する部材である。
【００２１】
＜ブレード装着機構＞
ブレードユニットは、揺動筒３０の内側に、ブレード１を着脱自在に装着するためのブレード装着機構を備えている。ブレード装着機構は揺動筒３０と一体となって揺動する。ブレード装着機構は揺動中心線１ａ上にスラスト軸４０を備えている。該スラスト軸４０は揺動筒３０の支持軸部３２を貫通している。スラスト軸４０は揺動筒３０と一体となって揺動するが、揺動筒３０に対して上下方向には相対的にスライド移動可能に構成されている。スラスト軸４０は、図４のようにブレード１が装着された状態においては上側にスライド移動した状態にあって揺動筒３０の支持軸部３２から上側に所定長さ突出した状態にある。図１０のようにブレード１が外された状態においては、スラスト軸４０は、下側にスライド移動した状態にあって揺動筒３０の支持軸部３２から上側に僅かに突出した状態となる。ブレード装着機構は、スラスト軸４０を上側に付勢するための付勢手段としてのコイルバネ４１を備えている。コイルバネ４１は揺動筒３０の内側に収容されている。ブレード装着機構は、ブレード１の基端部を揺動筒３０の下端開口部に固定し固定解除するための開閉クランプ４２を備えている。開閉クランプ４２は、スラスト軸４０の下端部と連結されていてスラスト軸４０の上下移動に伴って開閉する。開閉クランプ４２は、図４のようにスラスト軸４０が上方位置に位置すると開状態となってブレード１の基端部を揺動筒３０の下端開口部の内側に押圧して固定し、図１０のようにスラスト軸４０が下方位置に位置すると閉状態となってブレード１の基端部の固定を解除する。
【００２２】
＜ブレード１＞
ブレード１は種々の刃形状のものであってよく、任意の刃形状のものを装着できる。ブレード１は、薄い板状であり、上下方向が板厚方向となるように装着されている。ブレード１は揺動筒３０の下端開口部から前側に延びている。ブレード１は、二枚の板から構成されている。ブレード１は、基端側に位置するベース板５０と、先端側に位置する刃板５１とから構成されていて、ベース板５０の前部の下面側に刃板５１の後部が上下重ね合わせられて溶接一体化されている。従って、ブレード１の上面には、ベース板５０の前端面からなる段差部５２が形成されており、刃板５１の前後方向の全長のうち刃板５１の前端部から段差部５２までの長さ領域が切断等の加工を実質的に行うことができるブレード１の実行領域となっている。
【００２３】
このようにブレードユニットは、揺動振り子２０と揺動筒３０とブレード装着機構とブレード１とを備えている。本実施形態において、揺動振り子２０の延伸部２３，２４と係合受け部２２がブレード１用の変換アーム部を構成し、揺動振り子２０の筒状部２１と揺動筒３０とブレード装着機構がブレード軸部を構成している。
【００２４】
＜操作レバー６０＞
フロントケース９２の上部には、ブレード１の着脱時に操作される操作レバー６０が設けられている。操作レバー６０は左右方向に延びる支持ピン６１を回動支点としてフロントケース９２の上部に前後方向に回動可能に支持されている。操作レバー６０は前後に略１８０度回動できる。図４のようにブレード１を装着した状態では操作レバー６０は後側に回動した状態にあって略水平に倒れた状態にあり、ブレード１を外した状態では操作レバー６０は図４の状態から前側に回動した状態にあって前側に略水平に倒れた状態にある。操作レバー６０の基端部にはカム６２が設けられており、該カム６２にスラスト軸４０の上端部が当接している。図４の状態から操作レバー６０を前側に回動させると、カム６２がスラスト軸４０をコイルバネ４１の付勢力に抗して下降させる。逆に操作レバー６０を前側から後側に回動させると、コイルバネ４１の付勢力によってスラスト軸４０が上昇する。
【００２５】
＜カウンタウエイト３，４＞
次に、カウンタウエイト３，４について説明する。カウンタウエイト３，４は、揺動中心線１ａを中心として揺動する構成である。従って、カウンタウエイト３，４はブレードユニットと同じ揺動中心線１ａを中心として揺動する。カウンタウエイト３，４の揺動角度は、１．０度に設定されている。モータ軸１０の回転運動は左右方向の揺動運動に変換されてカウンタウエイト３，４に伝達される。カウンタウエイト３，４の揺動周期は、ブレードユニットの揺動周期と同じ値になる。カウンタウエイト３，４は、揺動中心線１ａを中心とするカウンタ軸部と、該カウンタ軸部から前側に延びるウエイト部７７と、カウンタ軸部から後側に延設されてモータ軸１０の回転運動を揺動中心線１ａを中心とした左右の揺動運動に変換するカウンタウエイト３，４用の変換アーム部とを備えている。以下、カウンタウエイト３，４の具体的構成について説明する。
【００２６】
カウンタウエイト３，４は、カウンタアーム３とカウンタスリーブ４という二つの部材から構成されている。カウンタアーム３の単体を図１３に示している。カウンタアーム３は、筒状部７０と延伸部７１，７２と係合受け部７４とウエイト部７７を備えている。筒状部７０の軸線方向は上下方向であり、その中心線は揺動中心線１ａと一致する。
【００２７】
延伸部７１，７２は、筒状部７０の外周面から径方向外側であって後側に向けて水平に延びている。延伸部７１，７２は、筒状部７０と係合受け部７４を連結している。係合受け部７４が筒状部７０から後側に離れているため、延伸部７１，７２は筒状部７０と係合受け部７４を前後に連結している。延伸部７１，７２は、左右一対の水平アーム部７１を備えている。左右の水平アーム部７１は、筒状部７０の外周面から接線方向であって後側に延びており、筒状部７０と左右の水平アーム部７１は上下方向の寸法が互いに略等しい。延伸部７１，７２は、左右の水平アーム部７１の後端部同士を左右に連結する連結部７２を備えている。連結部７２は筒状部７０から後側に離間しており、連結部７２と筒状部７０と左右の水平アーム部７１の間には上下に貫通する貫通孔７３が形成されている。
【００２８】
係合受け部７４は全体として上側に開口したコの字状であって、連結部７２から上側に向けて延設されている。係合受け部７４は、左右一対の垂直アーム部７５を備えている。垂直アーム部７５は連結部７２から上側に向けて垂直に延びていて、互いに平行関係にある。左右の垂直アーム部７５の内面に左右一対の受け面７６が形成されている。左右の受け面７６は、それぞれ左右の垂直アーム部７５の上端部内面に形成されていて、互いに左右方向に対向している。受け面７６は、垂直アーム部７５の内面から内側に僅かに突出した位置にある。受け面７６は、左右方向を法線方向とした平面である。
【００２９】
ウエイト部７７は、筒状部７０の外周面から径方向外側であって前側に向けて延びている。ウエイト部７７と延伸部７１，７２及び係合受け部７４とは前後に１８０度対向した位置関係にある。ウエイト部７７は、全体として直方体形状である。ウエイト部７７の上面は筒状部７０の上面よりも高く、ウエイト部７７の下面は筒状部７０の下面と面一である。従って、ウエイト部７７は筒状部７０よりも厚肉であって且つ筒状部７０に対して上側にオフセットしている。
【００３０】
カウンタスリーブ４はカウンタアーム３の筒状部７０の内側に嵌合していてカウンタアーム３と一体となって揺動する。カウンタスリーブ４の下端部外周面は一段小径となっており、その下端部がカウンタアーム３の筒状部７０に上側から嵌入されている。カウンタスリーブ４の上側の大部分はカウンタアーム３の筒状部７０の上面から上方に延びている。カウンタスリーブ４の上端面はウエイト部７７の上面よりも上側に位置している。
【００３１】
カウンタスリーブ４は揺動筒３０の外側に同軸状に装着されている。カウンタスリーブ４は揺動筒３０の外周面を支持面として揺動筒３０に対して相対回転可能に装着されていて、カウンタスリーブ４は揺動筒３０に対して相対的に揺動可能である。カウンタスリーブ４はモータ軸１０よりも下側に位置している。尚、揺動振り子２０の筒状部２１の下端面とカウンタスリーブ４の上端面との間にはスラストワッシャー８０が介装され、カウンタスリーブ４の下端面及びカウンタアーム３の筒状部７０の下端面とフロントケース９２との間にもスラストワッシャー８１が介装されている。
【００３２】
カウンタアーム３の延伸部７１，７２は第一の偏心軸部１５の下側に離間して位置し、揺動振り子２０の延伸部２３，２４及び係合受け部２２の下側に離間して位置している。カウンタアーム３の係合受け部７４は第二の偏心軸部１６の軸受け１８の外側に下側から係合している。係合受け部７４の左右の垂直アーム部７５が第二の偏心軸部１６の軸受け１８を左右両側から挟み込むように位置していて、左右の受け面７６が第二の偏心軸部１６の軸受け１８の外周面に当接している。従って、カウンタアーム３の左右の受け面７６同士の間の離間距離は、第二の偏心軸部１６の軸受け１８の外径とほぼ等しい。係合受け部７４のうち左右の受け面７６のみが第二の偏心軸部１６の軸受け１８の外周面に当接して係合し、係合受け部７４の他の部分は第二の偏心軸部１６の軸受け１８の外周面から離間している。モータ軸１０の回転運動は、第二の偏心軸部１６と軸受け１８と左右の受け面７６を介して揺動中心線１ａを中心としたカウンタアーム３の左右の揺動運動に変換される。
【００３３】
ウエイト部７７は、揺動筒３０を支持している下側の軸受け３４の外周面よりも前側に突出している。更に、ウエイト部７７は、揺動筒３０を支持している下側の軸受け３４を保持するフロントケース９２の支持筒部９９の外周面よりも前側に突出している。
【００３４】
本実施形態において、カウンタアーム３の延伸部７１，７２と係合受け部７４がカウンタウエイト３，４用の変換アーム部を構成し、カウンタアーム３の筒状部７０とカウンタスリーブ４がカウンタ軸部を構成している。
【００３５】
＜ハウジング＞
電動振動工具は、その外郭を構成するハウジングを備えている。ハウジングは、テールカバー９０とモータケース９１とフロントケース９２とフロントケースカバー９３を備えている。テールカバー９０は樹脂製であって左右二つ割りの構成となっており、射出成形品である。テールカバー９０の後端部にはバッテリパック５が装着されるバッテリ装着部９５が設けられている。テールカバー９０の内側には回路基板９６等が収容されている。テールカバー９０の前側にモータケース９１が接合されている。モータケース９１は樹脂製であって射出成形品である。モータケース９１は筒状であって一つの部材から構成されている。モータケース９１の内側にはモータ２が収容されており、モータ軸１０を支持する後側の軸受け１３はモータケース９１に装着されている。テールカバー９０の前部は筒状であってモータケース９１の後部と略同一径となっている。テールカバー９０の前部とモータケース９１の後部は、前後方向に延びる筒状の把持部を構成しており、把持部はモータ軸１０を中心とした筒状となっている。把持部はハウジングの前後方向の中間部を構成していて、ハウジングの前部及び後部よりも小径となっている。
【００３６】
モータケース９１の前側にフロントケース９２が位置している。フロントケース９２は、金属製であって、具体的にはダイカスト製である。モータ軸１０はモータケース９１から前側に延びてフロントケース９２の内側に進入している。フロントケース９２の後端開口部の内側に軸受けホルダ９７が装着され、その軸受けホルダ９７の内側にモータ軸１０の前側の軸受け１４が装着されている。フロントケース９２の内側にブレードユニットとカウンタウエイト３，４が収容されている。フロントケース９２は、前面に着脱自在なヘッドカバー９８を備えている。組み立て時にヘッドカバー９８を外した状態とすることでフロントケース９２の前面開口部から各種部材をフロントケース９２内に挿入できる。
【００３７】
フロントケース９２の外側をフロントケースカバー９３が覆っている。フロントケースカバー９３は、モータケース９１の前側に接合されている。フロントケースカバー９３は樹脂製であって左右二つ割りの構成であり、射出成形品である。フロントケースカバー９３は、フロントケース９２の上面と前面と左右両側面を覆っており、フロントケース９２の下面の一部を覆っている。フロントケース９２の支持筒部９９はフロントケースカバー９３の下面から下方に突出している。カウンタウエイト３，４のウエイト部７７の前側にはフロントケース９２のヘッドカバー９８が存在し、更にその前側にはフロントケースカバー９３が存在している。
【００３８】
フロントケースカバー９３の前面上部にはライト６が備え付けられている。ライト６の照射方向６ａを図７に二点鎖線で示している。ライト６の照射方向６ａは前側且つ下側に傾斜していて、ライト６はブレード１の先端部近傍を照らす。また、図３及び図４に二点鎖線でフロントケースカバー９３の前面から下方に延長線９３ａを示しているが、フロントケースカバー９３の前面の前後方向の位置は、ブレード１の段差部５２の前後方向の位置と略一致している。尚、フロントケースカバー９３の前面の前後方向の位置は、ブレード１の段差部５２の前後方向の位置よりも後側であってもよく、フロントケースカバー９３の前面の前後方向の位置が、ブレード１の段差部５２の前後方向の位置よりも前側に越えないことが好ましい。
【００３９】
以上のように構成された電動振動工具にあっては、ブレード１と逆位相でカウンタウエイト３，４が揺動するので、ブレード１の揺動に伴う振動がカウンタウエイト３，４の揺動によって打ち消されることになる。そのため、ハウジングの把持部を把持する手に大きな振動が伝わりにくくなり、手の負担が軽減される。また、手に大きな振動が伝わらないため、細かい作業も容易に行うことができる。しかも、カウンタウエイト３，４はハウジングの内部で揺動していてカウンタウエイト３，４がハウジングの外部に露出しないので、カウンタウエイト３，４がブレード１と逆位相で揺動していても、カウンタウエイト３，４の揺動が作業の邪魔になったりすることもない。また、カウンタウエイト３，４の揺動を作業者が意識することもない。そのため、カウンタウエイト３，４の存在を気にすることなく作業を行うことができる。更に、ハウジングの前部が内側のフロントケース９２とその外側のフロントケースカバー９３という二重構造となっていてその内側にカウンタウエイト３，４が配置されているので、防振効果に優れている。
【００４０】
また、カウンタウエイト３，４が揺動中心線１ａよりも前側にウエイト部７７を備えていて、そのウエイト部７７が揺動中心線１ａよりも前側の位置でブレード１と逆位相で左右に揺動するので、ブレード１による振動を効果的に打ち消すことができる。特に、ウエイト部７７がカウンタウエイト３，４の前端部に筒状部７０よりも厚肉に形成されているので、ウエイト部７７を揺動中心線１ａから前側に大きく離さなくてもよい。そのため、フロントケース９２の前面やフロントケースカバー９３の前面が前側に大きく張り出さなくて済む。そして、フロントケースカバー９３の前面の前後方向の位置がブレード１の段差部５２の前後方向の位置と略一致しているので、ブレード１の実行領域の確保とウエイト部７７を前側に位置させることとの両立を図ることができる。
【００４１】
一方、ブレード１が揺動中心線１ａから前側に大きく延びているため、一般的にはブレードユニットの重心は揺動中心線１ａよりも前側に位置することになるが、ブレードユニットの係合受け部２２を第一の偏心軸部１５の周囲を周回する環状の構成として係合受け部２２の質量を増大させているので、ブレードユニットの重心を後側に後退させることができて揺動中心線１ａに近づけることができる。そのため、ブレードユニットの揺動に伴う振動それ自体を抑制することができる。特に、ブレードユニットにおいて環状の係合受け部２２は揺動中心線１ａから後側に最も離れた位置にあるため、係合受け部２２を環状とすることによる効果が大きい。また、係合受け部２２が環状であって左右の受け面２６が上部と下部の双方において連結されているので、係合受け部２２や受け面２６の剛性が大きい。従って、モータ軸１０の回転運動を無駄なく確実に左右の揺動運動に変換することができ、ブレード１を効率良く揺動させることができる。
【００４２】
尚、図１４のように本実施形態における電動振動工具は、定規７と集塵ダクト８を取り付けることができる。定規７はブレード１の周囲を周回する角形の環状であり、詳細には横長長方形状である。定規７は、ブレード１の左右両側に離間して位置して上下方向に延びる左右一対の基準柱部７ａと、ブレード１の上下両側に離間して位置して左右方向に延びる上下一対の梁部７ｂとから構成されている。作業時には、左右何れかの基準柱部７ａを例えば壁に当てて、その基準柱部７ａを支点として電動振動工具を左右方向に回動させながら被加工物に対してブレード１を押し当てていくようにすることができる。集塵ダクト８は、定規７の一方の基準柱部７ａとブレード１との間に開口部８ａを有しており、その開口部８ａから切り屑を集塵する。集塵ダクト８の後部には図示しない集塵機のホースを接続する。
【符号の説明】
【００４３】
１    ブレード
１ａ  揺動中心線
２    モータ
２ａ  回転中心線
３    カウンタアーム（カウンタウエイト）
４    カウンタスリーブ（カウンタウエイト、カウンタ軸部）
５    バッテリパック
６    ライト
６ａ  照射方向
７    定規
７ａ  基準柱部
７ｂ  梁部
８    集塵ダクト
８ａ  開口部
１０    モータ軸（回転駆動軸）
１２    ファン
１３    後側の軸受け（モータ軸用）
１４    前側の軸受け（モータ軸用）
１５    第一の偏心軸部（ブレード駆動用の偏心軸部）
１６    第二の偏心軸部（カウンタウエイト駆動用の偏心軸部）
１７    軸受け（第一の偏心軸部用）
１８    軸受け（第二の偏心軸部用）
２０    揺動振り子（ブレードユニット）
２１    筒状部（ブレード軸部）
２２    係合受け部（変換アーム部）
２３    水平アーム部（延伸部、変換アーム部）
２４    連結部（延伸部、変換アーム部）
２５    貫通孔
２６    受け面
３０    揺動筒（ブレードユニット、ブレード軸部）
３１    胴部
３２    支持軸部
３３    上側の軸受け（揺動筒用）
３４    下側の軸受け（揺動筒用）
４０    スラスト軸（ブレード装着機構、ブレード軸部）
４１    コイルバネ（ブレード装着機構、ブレード軸部）
４２    開閉クランプ（ブレード装着機構、ブレード軸部）
５０    ベース板
５１    刃板
５２    段差部
６０    操作レバー
６１    支持ピン
６２    カム
７０    筒状部（カウンタ軸部）
７１    水平アーム部（延伸部、変換アーム部）
７２    連結部（延伸部、変換アーム部）
７３    貫通孔
７４    係合受け部（変換アーム部）
７５    垂直アーム部
７６    受け面
７７    ウエイト部
８０    スラストワッシャー
８１    スラストワッシャー
９０    テールカバー
９１    モータケース
９２    フロントケース
９３    フロントケースカバー
９３ａ  延長線
９５    バッテリ装着部
９６    回路基板
９７    軸受けホルダ
９８    ヘッドカバー
９９    支持筒部
【図１】
2019111623.tif 000003
【図２】
2019111623.tif 000004
【図３】
2019111623.tif 000005
【図４】
2019111623.tif 000006
【図５】
2019111623.tif 000007
【図６】
2019111623.tif 000008
【図７】
2019111623.tif 000009
【図８】
2019111623.tif 000010
【図９】
2019111623.tif 000011
【図１０】
2019111623.tif 000012
【図１１】
2019111623.tif 000013
【図１２】
2019111623.tif 000014
【図１３】
2019111623.tif 000015
【図１４】
2019111623.tif 000016